(57)【特許請求の範囲】
【請求項１】
箱状の本体ケースの左右にスピーカボックスが収容され、各スピーカボックスの内側端面を活用して表示体を保持する構成を有する表示装置であって、
前記表示体は、ガラス基板によって形成された湾曲変形可能な薄型であり、
左右のスピーカボックスは、その上下がスライド溝に規制された状態で、本体ケースの内部で左右方向にスライド移動可能に構成され、各スピーカボックスの背面には、内周面にネジ溝が形成された円筒部が各一個固定され、
本体ケースの一方側の側板には、単一本のネジ軸が貫通され、前記ネジ軸の基端部に形成された操作部が露出しており、
前記ネジ軸は、一方側と他方側の円筒部のネジ溝に各々螺合され、右ネジと左ネジを構成して前記表示体の背面に配置され、
前記操作部を人為的に操作して前記ネジ軸を所定方向に回転させると、２つの円筒部と共に各スピーカボックスの内側端面が互いに近づき、この移動に対応して、前記表示体が円弧状に湾曲変形するよう構成されていることを特徴とする表示装置。
【請求項２】
前記表示体は、外向きにも内向きにも湾曲可能に構成されている請求項１に記載の表示装置。
【発明の詳細な説明】
【技術分野】
【０００１】
本発明は、表示面を任意に湾曲変形させることができ迫力ある画面を見やすく表示できる表示装置に関する。
【背景技術】
【０００２】
近年、液晶セルをプラスチック製のＴＦＴ基板と対向基板を貼り合わせて形成することによって湾曲形成されたＬＣＤが提案されている（非特許文献１）。
【非特許文献１】月間ディスプレイ２００４年３月（Ｖｏｌ．１０Ｎｏ．３）発行（株）テクノタイムズ社
【発明の開示】
【発明が解決しようとする課題】
【０００３】
しかしながら、このＬＣＤは、プラスチック基板を使用しているため、ガラス基板に比べて耐熱温度が低く、しかも熱膨張係数も大きいため、製作上に種々の困難があり十分な実用性があるとは言えなかった。また、上記のＬＣＤは、そもそも、液晶表示装置の表示面が単に湾曲しているに過ぎず、その用途が極めて限定されたものでしかなかった。
【０００４】
ところで、画面の大きい大型ＴＶは、迫力ある映像を表示できる利点がある反面、表示画面の横幅が大きく、しかも、これが平面状に形成されているため、設置場所に困る場合があった。また、表示画面は平坦に形成されているため、屋外からの入射光の反射面となってしまい、まぶしくて本来の表示画面が見にくいという問題がある（図５（ａ）参照）。
【０００５】
これらの点について更に検討するに、そもそも、ＴＶを見る者にとっては、表示画面からの距離は、全画素について等距離である方がより自然で迫力も増すのであるから、必ずしも平面的な表示画面に拘泥する必要はない。
【０００６】
この発明は、上記の着想に基づいてなされたものであって、表示画面を自由に湾曲変形することができ、迫力ある画面を見やすく表示できる表示装置を提供することを目的とする。
【課題を解決するための手段】
【０００７】
上記の課題を解決するため、請求項１に係る発明は、箱状の本体ケースの左右にスピーカボックスが収容され、各スピーカボックスの内側端面を活用して表示体を保持する構成を有する表示装置であって、前記表示体は、ガラス基板によって形成された湾曲変形可能な薄型であり、左右のスピーカボックスは、その上下がスライド溝に規制された状態で、本体ケースの内部で左右方向にスライド移動可能に構成され、各スピーカボックスの背面には、内周面にネジ溝が形成された円筒部が各一個固定され、本体ケースの一方側の側板には、単一本のネジ軸が貫通され、前記ネジ軸の基端部に形成された操作部が露出しており、前記ネジ軸は、一方側と他方側の円筒部のネジ溝に各々螺合され、右ネジと左ネジを構成して前記表示体の背面に配置され、前記操作部を人為的に操作して前記ネジ軸を所定方向に回転させると、２つの円筒部と共に各スピーカボックスの内側端面が互いに近づき、この移動に対応して、前記表示体が円弧状に湾曲変形するよう構成されている。
【０００８】
本発明の表示体は、ガラス製であるので、表示セルの加工性の観点から優れている。そのため、ガラス基板を用いて表示セルに加工した後、表面にごく薄いプラスチックフィルム層を設けるのも好適である。
【０００９】
何れにしても、表示面を円弧状に湾曲変形させると、より自然に迫力ある画像を楽しむことが出来る。また、円弧の中心点に視点を置く限り、室外光が視点に入ってくることがなく、したがって、眩しさを感じることもない（図５（ｂ）参照）。なお、視点の位置が、円弧の中心点からずれても、平面状の表示面と比較すると、円弧状の表示面では、反射光の影響が格段に小さい。また、本発明は大型のＴＶなどに限定される必要はない。
【発明の効果】
【００１２】
以上説明した本発明によれば、表示画面を自由に湾曲変形することができ、迫力ある画面を見やすく表示できる表示装置を実現できる。
【発明を実施するための最良の形態】
【００１３】
以下、実施例に基づいて本発明を更に詳細に説明する。図１は、第１参考例に係る液晶表示装置ＤＩＳＰ１である。この液晶表示装置ＤＩＳＰ１は、液晶セル１ａを備える表示体１と、表示体１を支えるベース部２と、表示体１とベース部２とを連結するネック部３とで構成されている。ここで、液晶セル１ａ及び表示体１は、湾曲変形可能な薄さと強度とを有している。
【００１４】
この表示体１は、液晶セル１ａの周縁を保持部１ｂで支持して構成されているが、保持部１ｂは、ゴム素材のように可撓性に優れた合成樹脂で構成されている。また、保持部１ｂの上下には、変形可能な金属棒４が液晶セル１ａの裏面側に埋設されている。金属棒４は、人為的に変形可能な柔軟性と、変形状態が維持される保持性があれば適宜な材料が選択されるが、例えば、銅製の丸棒が採用される。但し、必ずしも銅棒のように任意の形状に変形できる必要はなく、バネ性に優れたステンレス鋼を使用するのも好適である。バネ性を有するステンレス鋼を採用した場合には、凸状態の湾曲状態４ｂと凹状態の湾曲状態４ａに、弾発的に切り換えることが可能となる。
【００１５】
なお、ネック部３は、かなり横に広がった断面楕円形に形成されているが、その中には液晶セル１ａを駆動するための表示回路が収納されている。また、ベース部２は、ネック部と表示体１とを確実に支える必要から、十分な安定度を発揮する程度の重さの金属盤で構成されている。
【００１６】
上記の構成からなる表示装置ＤＩＳＰ１では、銅棒などが内蔵されている場合には任意に湾曲変形することができ、また、バネ鋼が内蔵されている場合には２つの湾曲状態に弾発変形させることが可能となる。そのため、単なる人為的な操作によって室外光の反射光の影響を受けない表示装置を実現できる。
【００１７】
図２は、第２参考例に係る表示装置ＤＩＳＰ２を示す全体斜視図（ａ）と、分解斜視図（ｂ）である。この表示装置ＤＩＳＰ２は、断面コ字型の本体ケース５と、本体ケース５の直交方向に組み付けられる断面コ字型の側板６ａ，６ｂと、左右の側板６ａ，６ｂによって両端を保持される表示体７とを中心に構成されている。なお、この表示体７も、湾曲変形可能な薄さと強度とを有している。
【００１８】
本体ケース５は、天板５ａと背面板５ｂと底板５ｃとで一体的に構成されているが、天板５の下面と底板５ｃの上面には、互いに対面して４つのスライド溝８が形成されている。一方、左右の側板６ａ，６ｂには、前記スライド溝８に対応して、それぞれ上下２個の突条９ａ，９ｂが形成されており、上下２個の突条９ａ，９ｂが、本体ケース５のスライド溝８に案内されて左右の側板６ａ，６ｂがスライド移動可能になっている。
【００１９】
図２（ｂ）に示す通り、右側の側板６ａには、ネジ軸１０が貫通されている。このネジ軸１０は、基端側の操作ネジ１１によって回転されるが、ネジ軸１０に固定された押え板１２によって側板６ａに回転可能に保持されている（図３（ｃ）参照）。一方、左側の側板６ｂには、円筒棒１３が固定ネジ１４によって固定されている（図３（ｃ）参照）。円筒棒１３は、その内部に、ネジ軸１０のネジ山に対応したネジ溝が形成されており、右側の側板６ａから突出するネジ軸１０を受け入れるようになっている。
【００２０】
図２の表示装置ＤＩＳＰ２は、このように構成されているので、操作ネジ１１を回転させて、ネジ軸１０の先端を円筒棒１３の中に進入させることができ、その結果、左右の側板６ａ，６ｂを互いに近づけることが可能となる。ここで、表示体７の両端は、左右の側板６ａ，６ｂによって保持されているので、左右の側板６ａ，６ｂが近づくのに応じて表示体７が湾曲変形することになる。そのため、操作ネジ１１を適当回数だけ回転させると、反射光の影響を受けない表示装置ＤＩＳＰを実現できる。また、左右の側板６ａ，６ｂが近づくことで生じる左右の空間には、花瓶などを飾ることもでき、空いたスペースを有効に活用できる。なお、スライド溝８は、途中で途絶えるので、限界位置まで近づいた左右の側板６ａ，６ｂは、それ以上は進まず、したがって、表示体７も限界を越えて湾曲されることがない。
【００２１】
なお、図２の参考例では、天板５と底板５ｃとで形成される空間の中に、左右の側板６ａ，６ｂが進入する構成を採っているが、図３のように、天板５と底板５ｃとで形成される空間の外側に、左右の側板６ａ，６ｂが広がる構成を採っても良い。
【００２２】
図４は、実施例に係る表示装置ＤＩＳＰ３を示す全体斜視図（ａ）と、Ｂ−Ｂ断面図（ｂ）及びＣ−Ｃ断面図である。この表示装置ＤＩＳＰ３では、箱状の本体ケース１５の左右に、スピーカボックス１６ａ，１６ｂが収容されており、このスピーカボックス１６ａ，１６ｂの内側端面を活用して表示体１７が保持されている。
【００２３】
また、スピーカボックス１６ａ，１６ｂの上下の端面には、スライド溝１８が形成されている。そして、このスライド溝１８には、本体ケース１５に形成された突条１９が遊嵌されており、この構成の結果、スピーカボックス１６ａ，１６ｂは左右方向にスライド移動可能となっている。
【００２４】
本体ケース１５の右側板にはネジ軸２０（２０ａ，２０ｂ）が貫通しており、ネジ軸２０の基端部には操作部２１が形成されている。ネジ軸２０は、太径の右ネジ部２０ａと、細径の左ネジ部２０ｂとに区分されており、それぞれは、スピーカボックスの背面に固定された円筒部２２ａ，２２ｂを通過している。なお、円筒部２２ａ，２２ｂの内周面にはネジ溝が形成されている。
【００２５】
この実施例の場合には、操作部２１を回転させると、右ネジ部２０ａに螺合する円筒部２２ａが左向きに移動する一方、左ネジ部２０ｂに螺合する円筒部２２ｂは同じ距離だけ右向きに移動する。そのため、左右の円筒部２２ａ，２２ｂに一体化されているスピーカボックス１６ａ，１６ｂは、互いに近づく方向に移動することになり、スピーカボックス１６ａ，１６ｂで保持された表示体１７が円弧状に湾曲する。そして、かかる湾曲変形の結果、屋外からの入射光が表示体１７で反射しても、人間の視点には達しないので目ざわりさがない。
【００２６】
なお、表示装置ＤＩＳＰ２，ＤＩＳＰ３の場合には表示体７，１７は内向きに湾曲するか外向きに湾曲するか一意ではない。しかし、操作部１１，２１を回転させる際に、表示体７，１７を軽く内向きに押すだけで、容易に内向きに湾曲させることができる。
【００２７】
以上、本発明の実施例について具体的に説明したが、具体的な記載内容は特に本発明を限定するものではない。
【図面の簡単な説明】
【００２８】
【図１】第１参考例に係る表示装置を示す斜視図と側面図である。
【図２】第２参考例に係る表示装置を示す斜視図である。
【図３】第２参考例に係る表示装置の変形例である。
【図４】実施例に係る表示装置を示す斜視図である。
【図５】室外光が表示面で反射して視点に達する状況を説明する図面である。
【符号の説明】
【００２９】
１ａ    表示体
ＤＩＳＰ  表示装置
【図１】
0004885430.tif 000002
【図２】
0004885430.tif 000003
【図３】
0004885430.tif 000004
【図４】
0004885430.tif 000005
【図５】
0004885430.tif 000006